(57)【要約】【課題】トルクセンサを配置し易く、しかも小型に構成できる構造を実現する。【解決手段】軸方向に離隔した２箇所に入力歯車３および出力歯車４を固定したトルク伝達軸２を、筒状に構成する。トルク伝達軸２の径方向内側に内軸６を、トルク伝達軸２との相対回転を可能に配置する。トルク伝達軸２の径方向内側で、かつ、入力歯車３と出力歯車４との間に挟まれた軸方向位置に、トルク伝達軸２に生じる逆磁歪効果を利用してトルク伝達軸２が伝達するトルクを測定するためのトルクセンサ７を配置し、かつ、トルクセンサ７を内軸６に支持する。【選択図】図１
2019078671.tif 000002
【特許請求の範囲】
【請求項１】
軸方向に離隔したトルク入力部とトルク出力部とを有し、前記トルク入力部と前記トルク出力部との間でトルクを伝達する筒状のトルク伝達軸と、
前記トルク伝達軸の径方向内側に、前記トルク伝達軸との相対回転を可能に配置された内軸と、
前記トルク伝達軸の径方向内側で、かつ、前記トルク入力部と前記トルク出力部との間に挟まれた軸方向位置に配置されると共に、前記内軸に支持され、前記トルク伝達軸に生じる逆磁歪効果を利用して、前記トルク伝達軸により伝達しているトルクを測定するためのトルクセンサと、を備えた
トルク伝達装置。
【請求項２】
前記トルク伝達軸のうちで、前記トルク入力部と前記トルク出力部との間に挟まれた部分の内周面の表層部が、ショットピーニング処理により磁歪特性が改善された改質層になっている、
請求項１に記載のトルク伝達装置。
【請求項３】
前記内軸のうちで前記トルクセンサを支持した部分を挟んだ軸方向両側部のそれぞれが、前記トルク伝達軸に対して軸受により回転可能に支持されている、
請求項１または２に記載のトルク伝達装置。
【請求項４】
前記トルク伝達軸のうちで、前記トルク入力部と前記トルク出力部との間に挟まれた部分の外周面に、周方向溝が存在する、
請求項１〜３のうちの何れか１項に記載のトルク伝達装置。
【発明の詳細な説明】
【技術分野】
【０００１】
本発明は、伝達トルクを測定するためのトルクセンサを備えたトルク伝達装置に関する。
【背景技術】
【０００２】
自動車用の自動変速機を構成するトルク伝達軸により伝達しているトルクを測定し、その測定結果を利用して、当該変速機の変速制御やエンジンの出力制御を行うことが、従来から行われている。また、トルク伝達軸により伝達しているトルクを測定する技術として、たとえば特開２０１７−９６８２６号公報には、当該トルクを、トルク伝達軸の周囲に配置された磁歪式のトルクセンサにより測定する技術が記載されている。
【先行技術文献】
【特許文献】
【０００３】
【特許文献１】特開２０１７−９６８２６号公報
【発明の概要】
【発明が解決しようとする課題】
【０００４】
しかしながら、自動車用の自動変速機では、トルク伝達軸の周囲に歯車などの多くの変速機部品が密集しているため、トルク伝達軸の周囲にトルクセンサを配置することが難しいという問題がある。また、トルク伝達軸の周囲にトルクセンサを配置すると、トルクセンサの存在が自動変速機の大型化に結び付きやすいという問題もある。
【０００５】
本発明は、上述のような事情に鑑みてなされたものであり、その目的は、トルクセンサを配置し易く、しかも小型に構成できる構造を実現することにある。
【課題を解決するための手段】
【０００６】
本発明のトルク伝達装置は、トルク伝達軸と、内軸と、トルクセンサとを備える。
前記トルク伝達軸は、筒状に構成され、軸方向に離隔したトルク入力部とトルク出力部とを有し、前記トルク入力部と前記トルク出力部との間でトルクを伝達する。
前記内軸は、前記トルク伝達軸の径方向内側に、前記トルク伝達軸との相対回転を可能に配置されている。
前記トルクセンサは、前記トルク伝達軸の径方向内側で、かつ、前記トルク入力部と前記トルク出力部との間に挟まれた軸方向位置に配置されると共に、前記内軸に支持され、前記トルク伝達軸に生じる逆磁歪効果を利用して、前記トルク伝達軸により伝達しているトルクを測定するためのものである。
【０００７】
本発明のトルク伝達装置では、たとえば、前記トルク伝達軸のうちで、前記トルク入力部と前記トルク出力部との間に挟まれた部分の内周面の表層部が、ショットピーニング処理により磁歪特性が改善された改質層になっている構成を採用することができる。
【０００８】
本発明のトルク伝達装置では、たとえば、前記内軸のうちで前記トルクセンサを支持した部分を挟んだ軸方向両側部のそれぞれが、前記トルク伝達軸に対して、転がり軸受、滑り軸受などの軸受により、回転可能に支持されている構成を採用することができる。
【０００９】
本発明のトルク伝達装置では、たとえば、前記トルク伝達軸のうちで、前記トルク入力部と前記トルク出力部との間に挟まれた部分の外周面に、周方向溝が存在する構成を採用することができる。
【発明の効果】
【００１０】
本発明のトルク伝達装置によれば、トルクセンサを配置するための設計を容易に行えて、しかも小型に構成し易い。
【図面の簡単な説明】
【００１１】
【図１】図１は、実施の形態の第１例に係るトルク伝達装置の概略断面図である。
【図２】図２は、実施の形態の第２例に係るトルク伝達装置の概略断面図である。
【図３】図３は、実施の形態の第３例に係るトルク伝達装置の概略断面図である。
【図４】図４は、実施の形態の第４例に係るトルク伝達装置の概略断面図である。
【発明を実施するための形態】
【００１２】
［実施の形態の第１例］
実施の形態の第１例について、図１を用いて説明する。
本例のトルク伝達装置は、自動車用の自動変速機に組み込んで使用されるもので、ハウジング（ミッションケース）１と、カウンタ軸として機能するトルク伝達軸２と、それぞれがカウンタギヤとして機能する入力歯車３および出力歯車４と、１対の転がり軸受５ａ、５ｂと、内軸６と、トルクセンサ７とを備える。
【００１３】
なお、本例に関する以下の説明中、軸方向に関して「片側」は、図１の左側であり、軸方向に関して「他側」は、図１の右側である。
【００１４】
トルク伝達軸２は、中空円筒状に構成されている。
【００１５】
入力歯車３は、トルク伝達軸２にトルクを入力するための歯車であり、トルク伝達軸２の軸方向片端寄り部の外周面に固定されている。
【００１６】
出力歯車４は、トルク伝達軸２からトルクを出力するための歯車であり、トルク伝達軸２の軸方向他端寄り部の外周面に固定されている。
【００１７】
本例では、トルク伝達軸２のうちで、入力歯車３が固定された部分がトルク入力部に相当し、出力歯車４が固定された部分がトルク出力部に相当する。入力歯車３および出力歯車４のそれぞれは、トルク伝達軸２と別体に造られた部材とすることもできるし、トルク伝達軸２と一体に造られた部材とすることもできる。
【００１８】
１対の転がり軸受５ａ、５ｂは、トルク伝達軸２のうちで、入力歯車３および出力歯車４が固定された部分を挟んだ軸方向両端部を、ハウジング１に対して回転可能に支持している。
【００１９】
内軸６は、中実円柱状に構成されたもので、トルク伝達軸２の径方向内側に配置されている。より具体的には、内軸６は、トルク伝達軸２の軸方向片端部乃至中間部の径方向内側に、トルク伝達軸２と同軸に、かつ、トルク伝達軸２との相対回転を可能に配置されている。また、この状態で、内軸６の軸方向片端部は、トルク伝達軸２の外部に突出しており、かつ、ハウジング１に対して直接または他の部材を介して、圧入、螺合、ねじ止めなどの適宜の方法で固定されている。
【００２０】
トルクセンサ７は、入力歯車３と出力歯車４との間でトルク伝達軸２が伝達するトルクを測定するためのもので、円環状に構成され、トルク伝達軸２の径方向内側に配置されている。より具体的には、トルクセンサ７は、トルク伝達軸２の径方向内側で、入力歯車３と出力歯車４との間に挟まれた軸方向位置に配置されている。また、トルクセンサ７は、内軸６の軸方向他端部に外嵌支持されており、その検出部を、トルク伝達軸２の被検出部、すなわち、トルク伝達軸２のうちで入力歯車３と出力歯車４との間に挟まれた軸方向中間部の内周面に近接対向させている。また、トルクセンサ７は、ブリッジ回路を構成する複数のコイルを備えた磁歪式のものであり、トルク伝達軸２が伝達するトルクを、トルク伝達軸２に生じる逆磁歪効果を利用して測定する。すなわち、トルク伝達軸２の被検出部の透磁率は、トルク伝達軸２が伝達するトルクに応じて、すなわち、トルク伝達軸２に生じる逆磁歪効果に基づいて変化する。トルクセンサ７は、このような被検出部の透磁率の変化を、前記複数のコイルを流れる電流の変化として検出することにより、前記トルクを測定する。このため、トルク伝達軸２は、被検出部を含む一部又は全部が、磁歪特性を有する材料により造られている。
【００２１】
上述のような構成を有する本例のトルク伝達装置では、トルク伝達軸２が伝達するトルクを、トルクセンサ７により測定することができる。このため、このトルクの測定結果を利用して、自動変速機の変速制御やエンジンの出力制御などを行うことができる。
【００２２】
また、本例では、トルク伝達軸２を中空円筒状に構成すると共に、トルクセンサ７をトルク伝達軸２の径方向内側に配置している。このため、トルク伝達軸２の周囲に歯車などの多くの部品が密集している状況に拘わらず、トルクセンサ７の配置を容易に行うことができる。また、トルク伝達軸２の周囲にトルクセンサを配置する場合に比べて、トルク伝達装置を小型に構成することができる。
【００２３】
［実施の形態の第２例］
実施の形態の第２例について、図２を用いて説明する。
本例では、トルク伝達軸２は、鋼などの磁歪特性を有する材料により造られている。また、トルク伝達軸２のうちで入力歯車３と出力歯車４との間に挟まれた部分の内周面の表層部、すなわち、トルク伝達軸２の内周面のうちでトルクセンサ７と対向する部分の表層部（図２に斜格子を付して示した部分）は、ショットピーニング処理により磁歪特性が改善された改質層８になっている。
【００２４】
本例では、トルク伝達軸２の内周面のうちでトルクセンサ７と対向する部分の表層部が上述のような改質層８になっているため、トルクセンサ７によるトルク測定の感度およびヒステリシスを改善することができる。
その他の構成および作用は、実施の形態の第１例と同様である。
【００２５】
［実施の形態の第３例］
実施の形態の第３例について、図３を用いて説明する。
本例では、内軸６ａが円管状に構成されている。このため、この内軸６ａを配油管として機能させることができる。
その他の構成および作用は、実施の形態の第１例および第２例と同様である。
【００２６】
［実施の形態の第４例］
実施の形態の第４例について、図４を用いて説明する。
本例では、トルク伝達軸２のうちで入力歯車３と出力歯車４との間に挟まれた部分の外周面、より具体的には、トルク伝達軸２のうちでトルクセンサ７と径方向に重畳する部分の外周面に、全周に亙る周方向溝１０が存在している。この周方向溝１０が存在する軸方向位置では、トルク伝達軸２の剛性が低くなるため、トルク伝達時に内周面に作用する応力を大きくすることができる。この結果、磁歪式のトルクセンサ７によるトルク測定の感度を向上させることができる。
【００２７】
また、本例では、内軸６のうちでトルクセンサ７を支持した部分を挟んだ軸方向両側部が、トルク伝達軸２に対して１対の転がり軸受９ａ、９ｂにより回転可能に支持されている。このため、トルク伝達軸２と内軸６との平行度を安定的に保持することができ、延いては、トルク伝達軸２とトルクセンサ７との径方向に関する互いの位置関係を安定的に保持することができる。この結果、トルクセンサ７によるトルク測定の信頼性を長期間保持することができる。
その他の構成および作用は、実施の形態の第１例および第２例と同様である。
【００２８】
本発明は、上述した各実施の形態の構成を、矛盾が生じない範囲で適宜組み合わせて実施することができる。
また、本発明を実施する場合には、トルクセンサとして、検出部にホール素子などの磁気検出素子を組み込んだ磁気センサを用いることもできる。この場合には、トルク伝達軸の被検出部を磁化しておき、トルク伝達軸が伝達するトルクに応じて、すなわち、トルク伝達軸に生じる逆磁歪効果に基づいて、被検出部の外部に発生する磁束を変化させる。そして、この磁束の変化を磁気センサにより検出することに基づいて、トルクを測定する。
また、本発明を実施する場合には、トルク伝達軸のうちで、トルクセンサを対向させる被検出部およびその周辺の部分を、他の部分と別体に造ることもできる。このような構成を採用すれば、これらの部分同士を結合する前に、被検出部の表層部に改質層を形成するためのショットピーニング処理を容易に行うことができる。
【００２９】
本発明のトルク伝達装置を自動車のパワートレインに組み込んで使用する場合、対象となる装置は、特に問わない。たとえば、マニュアルトランスミッション（ＭＴ）、オートマチックトランスミッション（ＡＴ）、ベルト式無段変速機、トロイダル型無段変速機、オートマチックマニュアルトランスミッション（ＡＭＴ）、デュアルクラッチトランスミッション（ＤＣＴ）などの車側の制御で変速を行うトランスミッション、またはトランスファーを対象とすることができる。また、対象となる車両の駆動方式（ＦＦ、ＦＲ、ＭＲ、ＲＲ、４ＷＤなど）も、特に問わない。
また、本発明のトルク伝達装置は、自動車のパワートレインに限らず、たとえば、風車、圧延機、鉄道車両、工作機械、建設機械、農業機械、家庭用電気器具、モータなど、各種機械装置に組み込んで使用することができる。
【符号の説明】
【００３０】
１  ハウジング
２  トルク伝達軸
３  入力歯車
４  出力歯車
５ａ、５ｂ  転がり軸受
６、６ａ  内軸
７  トルクセンサ
８  改質層
９ａ、９ｂ  転がり軸受
１０  周方向溝
【図１】
2019078671.tif 000003
【図２】
2019078671.tif 000004
【図３】
2019078671.tif 000005
【図４】
2019078671.tif 000006